(57)【特許請求の範囲】
【請求項１】
無線通信システムにおいてスケジューラーが基地局の送信電力を調節する方法であって、
少なくとも一つの基地局から送信電力調節関連情報を受信する段階と、
各基地局別の物理リソースブロック（Ｐｈｙｓｉｃａｌ  Ｒｅｓｏｕｒｃｅ  Ｂｌｏｃｋ、ＰＲＢ）使用率と活性化された端末の数に基づいて、前記少なくとも一つの基地局のロードバランシングに対するロードバランシングモードを決定することにより、前記送信電力調節関連情報に基づいて、前記少なくとも一つの基地局のロードバランシングのための送信電力調節情報を生成する段階と、
前記送信電力調節情報に基づいて、前記少なくとも一つの基地局の送信電力を制御する段階と、を含み、
前記ロードバランシングモードは、ＰＲＢ使用率（ｕｓａｇｅ）分散のためのＰＲＢ基盤モードと活性端末分散のためのＵＥ基盤モードとがあり、前記ロードバランシングモードは、予め決定された基準値に基づいてＰＲＢ基盤モード又はＵＥ基盤モードのうちから選ばれる
ことを特徴とする、送信電力調節方法。
【請求項２】
前記生成段階は、
前記決定されたロードバランシングモードによって前記少なくとも一つの基地局に対する送信電力範囲を決定する段階をさらに含む
ことを特徴とする、請求項１に記載の送信電力調節方法。
【請求項３】
前記ロードバランシングモード決定段階は、
任意の基地局に対するＰＲＢ使用率が前記予め設定された基準値以下であるか判定する段階と、
以下の場合、端末に基づくロードバランシングモードをＰＲＢに基づくロードバランシングモードに転換する段階と、をさらに含む
ことを特徴とする、請求項１に記載の送信電力調節方法。
【請求項４】
前記ロードバランシングモード決定段階は、
任意の基地局に対するＰＲＢ使用率が予め設定された基準値を超過する場合、前記端末に基づくロードバランシングモードを維持する段階をさらに含む
ことを特徴とする、請求項３に記載の送信電力調節方法。
【請求項５】
前記送信電力範囲決定段階は、
前記少なくとも一つの基地局に対して電力上昇または電力減少を決定する段階と、
前記電力上昇または電力減少に基づいて、前記少なくとも一つの基地局のそれぞれに対する送信電力調節範囲を決定する段階と、をさらに含む
ことを特徴とする、請求項２に記載の送信電力調節方法。
【請求項６】
前記決定されたロードバランシングモード及び送信電力範囲に基づいて、前記少なくとも一つの基地局に適用される少なくとも一つの候補電力調節値を導出する段階と、
前記導出された候補電力調節値に基づいて、予め決定された目的関数を最大とする電力セットを決定する段階と、
前記決定された電力セットに基づいて、前記少なくとも一つの基地局の送信電力を制御する段階と、を含む
ことを特徴とする、請求項２に記載の送信電力調節方法。
【請求項７】
前記送信電力調節情報によって前記少なくとも一つの基地局の送信電力を制御し、端末と基地局間の干渉を制御する段階をさらに含む
ことを特徴とする、請求項１に記載の送信電力調節方法。
【請求項８】
前記決定段階は、
前記送信電力関連情報に含まれた端末のサウンディング基準信号（Ｓｏｕｎｄｉｎｇ  Ｒｅｆｅｒｅｎｃｅ  Ｓｉｇｎａｌ）に基づいて、前記電力セットを決定する
ことを特徴とする、請求項６に記載の送信電力調節方法。
【請求項９】
前記送信電力調節関連情報は、ハンドオーバー関連パラメーターを含む
ことを特徴とする、請求項１に記載の送信電力調節方法。
【請求項１０】
前記ＰＲＢ使用率は、予め設定された時間の間に収集される
ことを特徴とする、請求項１に記載の送信電力調節方法。
【請求項１１】
無線通信システムにおいて基地局の送信電力を調節するスケジューラーであって、
基地局と信号を送受信するインターフェース部と、
少なくとも一つの基地局から送信電力調節関連情報を受信し、各基地局別の物理リソースブロック（Ｐｈｙｓｉｃａｌ  Ｒｅｓｏｕｒｃｅ  Ｂｌｏｃｋ、ＰＲＢ）使用率と活性化された端末の数に基づいて、前記少なくとも一つの基地局のロードバランシングに対するロードバランシングモードを決定することにより、前記送信電力調節関連情報に基づいて、前記少なくとも一つの基地局のロードバランシングのための送信電力調節情報を生成し、前記送信電力調節情報に基づいて前記少なくとも一つの基地局の送信電力を制御する制御部と、を含み、
前記ロードバランシングモードは、ＰＲＢ使用率（ｕｓａｇｅ）分散のためのＰＲＢ基盤モードと活性端末分散のためのＵＥ基盤モードとがあり、前記ロードバランシングモードは、予め決定された基準値に基づいてＰＲＢ基盤モード又はＵＥ基盤モードのうちから選ばれる
ことを特徴とする、スケジューラー。
【請求項１２】
前記制御部は、
前記決定されたロードバランシングモードによって前記少なくとも一つの基地局に対する送信電力範囲を調節するように制御する
ことを特徴とする、請求項１１に記載のスケジューラー。
【請求項１３】
前記制御部は、
任意の基地局に対するＰＲＢ使用率が前記予め設定された基準値以下であるか判定し、以下の場合、端末に基づくロードバランシングモードをＰＲＢに基づくロードバランシングモードに転換するように制御する
ことを特徴とする、請求項１１に記載のスケジューラー。
【請求項１４】
前記制御部は、
任意の基地局に対するＰＲＢ使用率が予め設定された基準値を超過する場合、前記端末に基づくロードバランシングモードを維持する
ことを特徴とする、請求項１３に記載のスケジューラー。
【請求項１５】
前記制御部は、
前記少なくとも一つの基地局に対して電力上昇または電力減少を決定し、前記電力上昇または電力減少に基づいて前記少なくとも一つの基地局のそれぞれに対する送信電力調節範囲を決定するように制御する
ことを特徴とする、請求項１２に記載のスケジューラー。
【請求項１６】
前記制御部は、
前記決定されたロードバランシングモード及び送信電力範囲に基づいて前記少なくとも一つの基地局に適用される少なくとも一つの候補電力調節値を導出し、前記導出された候補電力調節値に基づいて予め決定された目的関数を最大とする電力セットを決定し、前記決定された電力セットに基づいて、前記少なくとも一つの基地局の送信電力を制御するように制御する
ことを特徴とする、請求項１２に記載のスケジューラー。
【請求項１７】
前記制御部は、
前記送信電力調節情報によって前記少なくとも一つの基地局の送信電力を制御し、端末と基地局間の干渉を制御する
ことを特徴とする、請求項１１に記載のスケジューラー。
【請求項１８】
前記制御部は、
前記送信電力関連情報に含まれた端末のサウンディング基準信号（Ｓｏｕｎｄｉｎｇ  Ｒｅｆｅｒｅｎｃｅ  Ｓｉｇｎａｌ）に基づいて、前記電力セットを決定する
ことを特徴とする、請求項１６に記載のスケジューラー。
【請求項１９】
前記送信電力調節関連情報は、ハンドオーバー関連パラメーターを含む
ことを特徴とする、請求項１１に記載のスケジューラー。
【請求項２０】
前記ＰＲＢ使用率は、予め設定された時間の間に収集される
ことを特徴とする、請求項１１に記載のスケジューラー。
【発明の詳細な説明】
【技術分野】
【０００１】
本発明は、無線通信システムに関し、より具体的に無線通信システムでリアルタイム送信電力調節方法及び装置に関する。
【背景技術】
【０００２】
一般的に、無線通信システムはユーザの活動性を保障しながら音声サービスを提供するために開発された。しかし、無線通信システムは次第に音声のみならずデータサービスまで領域を確張しており、現在には高速のデータサービスを提供することができる程度まで発展した。しかし、現在サービスが提供されている無線通信システムではリソースの不足現象及びユーザがより高速のサービスを要求するので、より発展した無線通信システムが要求されている。
【０００３】
一方、無線通信システムでシステム(又は基地局)設置時、ネットワーク運営者はサービス品質を保障するためにセル間の境界にある端末(ｅｄｇｅ ＵＥ)の性能(ｔｈｒｏｕｇｈｐｕｔ)を向上させ、セル別のロード(ｌｏａｄ)を調節する必要がある。
【０００４】
ここに商用ネットワークで、端末の処理量(ＵＥ Ｔｈｒｏｕｇｈｐｕｔ)性能向上とロードバランシング(Ｌｏａｄ Ｂａｌａｎｃｉｎｇ)のための送信電力調節方案が必要な実情である。
【発明の概要】
【発明が解決しようとする課題】
【０００５】
本発明は、前記のような課題を解決するために案出されたもので、無線通信システムでリアルタイム送信電力調節方法及び装置を提供することを目的とする。
【０００６】
より具体的に、本発明は端末が送信したサウンディング基準信号(Ｓｏｕｎｄｉｎｇ Ｒｅｆｅｒｅｎｃｅ Ｓｉｇｎａｌ、ＳＲＳ)を用いて基地局の送信電力をリアルタイムで調節する方法及び装置を提供することをその目的とする。
【課題を解決するための手段】
【０００７】
前記のような問題点を解決するための本発明の無線通信システムにおいて、スケジューラーが基地局の送信電力を調節する方法は、少なくとも一つの基地局から送信電力調節関連情報を受信する段階と、前記送信電力調節関連情報に基づいて、前記少なくとも一つの基地局のロードバランシングのための送信電力調節情報を生成する段階と、及び前記送信電力調節情報に基づいて、前記少なくとも一つの基地局の送信電力を制御する段階と、を含むことを特徴とする。
【０００８】
また、本発明の無線通信システムにおいて、基地局の送信電力を調節するスケジューラーは、基地局と信号を送受信するインターフェース部、及び少なくとも一つの基地局から送信電力調節関連情報を受信し、前記送信電力調節関連情報に基づいて、前記少なくとも一つの基地局のロードバランシングのための送信電力調節情報を生成し、前記送信電力調節情報に基づいて前記少なくとも一つの基地局の送信電力を制御する制御部と、を含むことを特徴とする。
【発明の効果】
【０００９】
本発明によれば、リアルタイムＲＦ(Ｒａｄｉｏ Ｆｒｅｑｕｅｎｃｙ)情報及びスケジューリング情報を用いてリアルタイムで送信電力調節が可能である。これを通じて商用ネットワークでリアルタイムロードバランシング効果と端末の処理量を向上させることができる。
【図面の簡単な説明】
【００１０】
【図１】本発明の実施形態に適用される無線通信ネットワークの構成を示す図面である。
【図２】本発明の実施形態による送信電力調節過程を示すフローチャートである。
【図３】本発明の実施形態によって、スケジューラーが各基地局に適用される送信電力調節情報を決定する過程を示すフローチャートである。
【図４】本発明の実施形態によってスケジューラーがＮＩを決定する過程を示すフローチャートである。
【図５】本発明の実施形態によるスケジューラーが図３に図示されたＳ３２０段階を行う具体的な過程を示すフローチャートである。
【図６】本発明の実施形態によって、スケジューラーがロードバランシングモードを決定する過程を示すフローチャートである。
【図７】本発明の図５のＳ５２０段階の具体的な遂行過程を示すフローチャートである。
【図８】本発明の実施形態によるスケジューラーの内部構造を示すブロック図である。
【発明を実施するための形態】
【００１１】
以下、添付された図面を参照して本発明の好ましい実施形態を詳細に説明する。この時、添付の図面で同一構成要素は可能な同一符号を付すことに留意すべきである。また、本発明の要旨を不明瞭にすることができる公知機能及び構成に対する詳細な説明は省略する。
【００１２】
実施形態を説明するにあたり、本発明が属する技術分野によく知られており本発明と直接的に関連がない技術内容に対しては説明を省略する。これは不必要な説明を省略することによって本発明の要旨を明瞭にし、より明確に伝達するためである。
【００１３】
同様の理由で添付図面において一部構成要素は誇張されたり省略されたり概略的に図示された。また、各構成要素のサイズは実際サイズを全的に反映することではない。各図面で同一又は対応する構成要素には同一参照番号を付した。
【００１４】
本発明の利点及び特徴、及びそれらを達成する方法は、添付する図面と共に詳細に後述する実施形態を参照すれば明確であろう。しかし。本発明は以下で開示される実施形態で限定されるものではなく、互いに異なる多様な形態で具現されることができ、ただ本実施形態は本発明の開示が完全にし、本発明が属する技術分野で通常の知識を有する者に発明の範疇を完全に知らせるために提供されるものであり、本発明は請求項の範疇によって定義されるだけである。明細書全体にかけて同一参照符号は同一構成要素を指称する。
【００１５】
この時、処理フローチャートの各ブロックとフローチャートの図面の組合は、コンピュータープログラムインストラクションによって行われることができることを理解することができるだろう。これらコンピュータープログラムインストラクションは、汎用コンピューター、特殊用コンピューター又はその他プログラム可能なデータプロセッシング装備のプロセッサに搭載されることができるので、コンピューター又はその他プログラム可能なデータプロセッシング装備のプロセッサを通じて行われるそのインストラクションが、フローチャートブロックで説明された機能を行う手段を生成するようになる。これらコンピュータープログラムインストラクションは、特定方式で機能を具現するためにコンピューター又はその他のプログラム可能なデータプロセッシング装備を志向することができるコンピューター利用可能、又はコンピューター判読可能メモリーに記憶されることも可能であるので、そのコンピューター利用可能又はコンピューター判読可能メモリーに記憶されたインストラクションは、フローチャートブロックで説明された機能を行うインストラクション手段を内包する製造品目を生産することも可能である。コンピュータープログラムインストラクションは、コンピューター又はその他プログラム可能なデータプロセッシング装備上に搭載されることも可能であるので、コンピューター又はその他プログラム可能なデータプロセッシング装備上で一連の動作段階が行われ、コンピューターで実行されるプロセスを生成してコンピューター又はその他プログラム可能なデータプロセッシング装備を行うインストラクションはフローチャートブロックで説明された機能を行うための段階を提供することも可能である。
【００１６】
また、各ブロックは、特定された論理的機能を行うための１つ以上の実行可能なインストラクションを含むモジュール、セグメント又はコードの一部を示すことができる。また、幾つか代替実行例ではブロックで言及された機能が手順を外れて発生することも可能であることを注目しなければならない。例えば、接して示されている２つのブロックは、実は実質的に同時に行われることも可能で、又はそのブロックが時々該当する機能によって逆順に行われることも可能である。
【００１７】
この時、本実施形態に用いられる‘〜部’という用語は、ソフトウェア又はＦＰＧＡ、並びにＡＳＩＣのようなハードウェア構成要素を意味し、‘〜部’はどんな役目を行う。しかし、‘〜部’は、ソフトウェア又はハードウェアで限定される意味ではない。‘〜部’はアドレシングすることができる記憶媒体にあるように構成されることもでき、１つ又はその以上のプロセッサを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーティン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さい数の構成要素及び‘〜部’に結合されたり追加的な構成要素と‘〜部’でさらに分離することができる。だけでなく、構成要素及び‘〜部’はデバイス又は保安マルチメディアカード内の１つ又はその以上のＣＰＵを再生させるように具現されることもできる。
【００１８】
以下、本発明において、端末の処理量(ＵＥ Ｔｈｒｏｕｇｈｐｕｔ)性能向上及びロードバランシング(Ｌｏａｄ Ｂａｌａｎｃｉｎｇ)のためのセルに対するリアルタイム送信電力調節方法に対して記述する。
【００１９】
本発明の実施形態によるロードバランシングは、決定されたロードバランシングモードにより、ＵＥの分散程度またはセル別にＰＲＢ使用率の分散程度に基づいて、セル別の電力増加または減少可否を判定し、ロードバランシングが成るためのセル別の送信電力調節範囲を決定する一連の過程を意味することができる。
【００２０】
さらに、本発明の基地局またはセルは小型基地局を含むことができる。さらに、前記小型基地局はピコ(ｐｉｃｏ)基地局を含むことができる。
【００２１】
現在、セルは一定時間の間のローディング情報を用いて各基地局の送信電力を調節する。ところで、これはカバレッジホール(ｃｏｖｅｒａｇｅ ｈｏｌｅ)を補完(ｍａｋｅ ｕｐ)するための送信電力調節と、マルチセル(ｍｕｌｔｉ-ｃｅｌｌ)重畳を解決するための送信電力調節に適合する。この場合、セルは一定時間の統計を用いて分析後に前記動作を行う。
【００２２】
しかし、前記方法によれば、一定時間の間の統計を用いるから端末が続いて働く商用ネットワークで性能利得を得ることに制限的なしかない。
【００２３】
本発明は、前記問題を解決するため、統合スケジューラ(または、スケジューラ)を介して獲得したリアルタイムＲＦ情報及びスケジューリング情報に基づいて、リアルタイム電界状況を反映した送信電力調節を行う。これにより、本発明によればロードバランシング効果及び端末の処理量性能を向上させることができる。
以下では図面を参考して本発明の実施形態に対して記述する。
【００２４】
図１は、本発明の実施形態に適用される無線通信ネットワークの構成を示す図面である。図１に図示されたように、本発明の実施形態による無線通信ネットワークは統合スケジューラ１１０と少なくとも一つの基地局１２０を含むことができる。
【００２５】
統合スケジューラ(または、スケジューラー)１１０は、少なくとも一つの基地局１２０から送信電力調節関連情報が伝達される。基地局１２０は、送信電力調節アルゴリズム遂行周期の間の必要な情報を収集し、収集された情報を前記スケジューラー１１０に伝達することができる。
【００２６】
すると、スケジューラー１１０は基地局１２０から収集された情報を用いて端末処理量(ＵＥ Ｔｈｒｏｕｇｈｐｕｔ)を向上させるために送信電力を調節することができる。
【００２７】
図２は、本発明の実施形態による送信電力調節過程を示すフローチャートである。
【００２８】
図２に図示されるように、スケジューラー２１０はＳ２１０段階で、送信電力調節関連情報を基地局２２０から受信することができる。前記スケジューラー２１０と基地局２２０は、有線または無線のインターフェースと接続されてあり得る。前記送信電力調節関連情報は、接続された端末のＩＤ、ＰＲＢ(Ｐｈｙｓｉｃａｌ Ｒｅｓｏｕｒｃｅ Ｂｌｏｃｋ)使用率、ＮＩ(Ｎｏｉｓｅ ａｎｄ ｉｎ Ｉｎｔｅｒｆｅｒｅｎｃｅ)予測情報、サブセルに対して接続された端末のＩＤ数、サブセルのＰＲＢ使用率、ハンドオーバー関連などを含むことができるが、必ず前記羅列された情報で限定されるものではない。前記送信電力調節関連情報に対しては図３を通じて具体的に説明するようにする。
【００２９】
スケジューラー２１０はＳ２２０段階で、基地局２２０から受信した送信電力調節関連情報に基づいて、送信電力調節情報を決定する。前記送信電力調節情報は各基地局別、電力上昇または電力減少可否、上昇または減少程度に対する情報を含むことができる。
【００３０】
そして、スケジューラー２１０はＳ２３０段階で、前記決定された送信電力調節情報を基地局２２０に伝達する。
【００３１】
すると、基地局２２０はＳ２４０段階で、スケジューラー２１０から受信した送信電力調節情報に基づいて送信電力２４０を調節する。
【００３２】
図３は、本発明の実施形態によって、スケジューラーが各基地局に適用される送信電力調節情報を決定する過程を示すフローチャートである。
【００３３】
先ず、スケジューラーはＳ３１０段階で、少なくとも一つの基地局から送信電力調節関連情報を収集(または受信)できる。スケジューラーが収集する送信電力調節関連情報は下記の通りである。
【００３４】
送信電力調節関連情報は、接続された端末の識別子(Ｃｏｎｎｅｃｔｅｄ ＵＥのＩＤ)、ＰＲＢ使用率、雑音及び干渉(ＮＩ)予測値を含むことができる。また、前記送信電力調節関連情報は特定基地局のサブセルに対して接続された端末数、ＰＲＢ使用率をさらに含むことができる。また、前記送信電力調節関連情報はハンドオーバー関連パラメーターをさらに含むことができる。
【００３５】
基地局はスケジューラーに送信電力調節関連情報を伝達するため、下記のような過程を通じて送信電力調節関連情報を収集することができる。
【００３６】
先ず、基地局は接続された端末に対するリストを管理することができる。例えば、基地局は ＴＴＬＭ_ＴＰＣ間の自分が現在管理するサブセルに対する接続された端末リスト(ｓｕｂ-ｃｅｌｌのＣｏｎｎｅｃｔｅｄ ＵＥ ｌｉｓｔ)を管理し、ＴＴＬＭ_ＴＰＣタイマー満了時点にサブセルに接続された端末リストを記憶することができる。この場合、前記接続された端末(Ｃｏｎｎｅｃｔｅｄ ＵＥ)とは現在ＲＲＣ接続状態のＵＥを意味することができる。
【００３７】
また、基地局は接続された端末のＰＲＢ使用率を収集することができる。例えば、基地局は ＴＴＬＭ_ＴＰＣ間の接続された端末のＰＲＢ使用率を下記のような過程を通じて収集することができる。
【００３８】
１) ＴＴＬＭ_ＴＰＣｔｉｍｅｒＳｔａｒｔの時、Ｃｏｎｎｅｃｔｅｄ ＵＥに対するＡｖｇＵＥＰＲＢＵｓａｇｅＲａｔｉｏを初期化する。
２) ＴＳＣＨ_ＩＮＦＯｔｉｍｅｒＳｔａｒｔの時、Ｃｏｎｎｅｃｔｅｄ ＵＥに対するＵＥＰＲＢＵｓａｇｅＲａｔｉｏを初期化する。
３) ＴＳＣＨ_ＩＮＦＯ間の毎ＴＴＩごとにＣｏｎｎｅｃｔｅｄ ＵＥを対象で次の動作を行う。
３-１) Ｃｏｎｎｅｃｔｅｄ ＵＥｓに対するＮｕｍＵＥＰＲＢ＝０設定 
３-２)Ｓｃｈｅｄｕｌｉｎｇ過程で当該のＣｏｎｎｅｃｔｅｄ ＵＥｓに割り当てられたＰＲＢ数設定
３-３) Ｃｏｎｎｅｃｔｅｄ ＵＥｓに対するＵＥＰＲＢＵｓａｇｅＲａｔｉｏ値を下記のようにｕｐｄａｔｅ
-ＵＥＰＲＢＵｓａｇｅＲａｔｉｏ+＝ＮｕｍＵＥＰＲＢ/ＴＳＣＨ_ＩＮＦＯ/Ｔｏｔａｌ_ＮＵＭ_ＰＲＢ
４) ３)過程を通じてＴＳＣＨ_ＩＮＦＯ間に収集された情報に基づいてＣｏｎｎｅｃｔｅｄ ＵＥs に対するＡｖｇＰＲＢＵｓａｇｅＲａｔｉｏ値を下記のようにｕｐｄａｔｅする。
- ＡｖｇＳｕｂＣｅｌｌＰＲＢＵｓａｇｅＲａｔｉｏ＋＝ＵＥＰＲＢＵｓａｇｅＲａｔｉｏ/ Ｎａｖｇ_ｓａｍｐｌｅ
上記でＮａｖｇ_ｓａｍｐｌｅＴＴＬＭ_ＴＰＣ＝ＴＳＣＨ_ＩＮＦＯ＊Ｎａｖｇ_ｓａｍｐｌｅを満足する。
５) ＴＴＬＭ_ＴＰＣｔｉｍｅｒ ｅｘｐｉｒｙが発生するまで ２)〜４)過程を繰り返した後、Ｃｏｎｎｅｃｔｅｄ ＵＥsに対するＡｖｇＰＲＢＵｓａｇｅＲａｔｉｏ値を記憶する。
【００３９】
また、基地局はサブセルのＰＲＢ使用率を収集することができる。このために、基地局はＴＴＬＭ_ＴＰＣ間の自分が管理するそれぞれのサブセルに対するＰＲＢ使用率を下記のような手順を介して収集することができる。
【００４０】
１) ＴＴＬＭ_ＴＰＣｔｉｍｅｒＳｔａｒｔの時、ｃｅｌｌに対するＡｖｇＵＥＰＲＢＵｓａｇｅＲａｔｉｏを初期化する。
２) ＴＳＣＨ_ＩＮＦＯｔｉｍｅｒＳｔａｒｔの時、ｃｅｌｌに対するＳｕｂｃｅｌｌＰＲＢＵｓａｇｅＲａｔｉｏを初期化する。
３) ＴＳＣＨ_ＩＮＦＯ間の毎ＴＴＩごとにｓｕｂ-ｃｅｌｌがＵＥに割り当てられたＰＲＢ数を(ＮｕｍＣｅｌｌＰＲＢ)記憶してＣｅｌｌＰＲＢＵｓａｇｅＲａｔｉｏ値を下記のようにｕｐｄａｔｅする。
- ＣｅｌｌＰＲＢＵｓａｇｅＲａｔｉｏ＋＝ＮｕｍＣｅｌｌＰＲＢ/ ＴＳＣＨ_ＩＮＦＯ / Ｔｏｔａｌ_ＮＵＭ_ＰＲＢ
４) ３)過程を通じてＴＳＣＨ_ＩＮＦＯ間に収集された情報に基づいてそれぞれのｓｕｂ-ｃｅｌｌに対するＡｖｇＰＲＢＵｓａｇｅＲａｔｉｏ値を下記のようにｕｐｄａｔｅする。
- ＡｖｇＳｕｂＣｅｌｌＰＲＢＵｓａｇｅＲａｔｉｏ＋＝ＣｅｌｌＰＲＢＵｓａｇｅＲａｔｉｏ/ Ｎａｖｇ_ｓａｍｐｌｅ
上記でＮａｖｇ_ｓａｍｐｌｅＴＴＬM_ＴＰＣ= ＴＳＣＨ_ＩＮＦＯ * Ｎａｖｇ_ｓａｍｐｌｅを満足する。
５) ＴＴＬＭ_ＴＰＣｔｉｍｅｒ ｅｘｐｉｒｙが発生するまで２)〜４)過程を繰り返した後、ｓｕｂ-ｃｅｌｌに対するＡｖｇＰＲＢＵｓａｇｅＲａｔｉｏ値を保存する。
【００４１】
また、基地局はセルのハンドオーバー(ＨＯ)関連パラメーターを収集することができる。例えば、基地局はＴＴＬＭ_ＴＰＣ間の自分が管理するそれぞれのセルに対するハンドオーバーパラメーターを下記の過程を通じて収集することができる。
【００４２】
１) ＴＴＬＭ_ＴＰＣ間の下記のようなｃｅｌｌのＨＯ関連ｐａｒａｍｅｔｅｒｓ収集
- Ｏｆｆｊ：ｊ番目のｃｅｌｌのＥｖｅｎｔＡ３のｏｆｆｓｅｔ
- Ｈｙｓｔｅｒｅｓｉｓｊ：ｊ番目のｃｅｌｌのＥｖｅｎｔＡ３のｈｙｓｔｅｒｅｓｉｓ
- Ｏｆｓｊ：ｊ番目のｃｅｌｌのｆｒｅｑｕｅｎｃｙ-ｓｐｅｃｉｆｉｃ ｏｆｆｓｅｔ
- Ｏｃｓｊ：ｊ番目のｃｅｌｌのｃｅｌｌ-ｓｐｅｃｉｆｉｃ ｏｆｆｓｅｔ
- Ｏｆｎｊ,ｒ：ｊ番目のｃｅｌｌのｒ番目のＳＲＳ ｎｅｉｇｈｂｏｒのｆｒｅｑｕｅｎｃｙ Ｓｐｅｃｉｆｉｃ ｏｆｆｓｅｔ
- Ｏｃｎｊ, ｒ：ｊ番目のｃｅｌｌのｒ番目のＳＲＳ ｎｅｉｇｈｂｏｒのｃｅｌｌ Ｓｐｅｃｉｆｉｃ ｏｆｆｓｅｔ
２) ＴＴＬＭ_ＴＰＣｔｉｍｅｒ ｅｘｐｉｒｙが発生すると、１)過程で収集したｃｅｌｌのＨＯ 関連ｐａｒａｍｅｔｅｒｓ記憶
【００４３】
スケジューラーは、基地局が前記過程を通じて収集した送信電力調節関連情報を収集する。すると、スケジューラーはＳ３２０段階で、少なくとも一つの基地局に対する送信電力調節のための送信電力調節情報を決定することができる。
【００４４】
そして、スケジューラーはＳ３３０段階で、基地局に送信電力調節情報を伝達して基地局の送信電力を調節する。
【００４５】
前記過程を行うことによって、商用ネットワークでリアルタイムロードバランシング効果と端末の処理量を向上させることができる。
【００４６】
以下、図３のＳ３２０段階で、スケジューラーが送信電力調節のための送信電力調節情報を決定する具体的な過程に対して説明する。
【００４７】
これを説明する前に、先ず、図４を介してスケジューラーがＮＩ(ＮｏｉｓｅａｎｄＩｎｔｅｒｆｅｒｅｎｃｅ)を決定する過程に対して説明する。前記ＮＩは送信電力調節情報を決定するのに使用される目的関数(ｏｂｊｅｃｔｉｖｅ ｆｕｎｃｔｉｏｎ)の入力パラメーターで用いられることができる。
【００４８】
図４は、本発明の実施形態によってスケジューラーがＮＩを決定する過程を示すフローチャートである。
【００４９】
スケジューラーは基地局から受信した活性化された端末(Ａｃｔｉｖｅ ＵＥ)の平均ＭＰＲ対比ＣＱＩ(Ｍａｘｉｍｕｍ Ｐｏｗｅｒ Ｒｅｄｕｃｔｉｏｎ ｔｏ Ｃｈａｎｎｅｌ Ｑｕａｌｉｔｙ Ｉｎｄｉｃａｔｏｒ)、及び平均ランクインジケーター(Ｒａｎｋ Ｉｎｄｉｃａｔｏｒ、ＲＩ)を用いてＮＩを推定することができる。
【００５０】
先ず、スケジューラーはＳ４１０段階で、ＭＰＲによりＣＱＩ値をマッピングすることができる。例えば、ＭＰＲのサイズによって、０乃至１５の間の値を有するＣＱＩ値が決定されることができる。
【００５１】
そして、スケジューラーはＳ４３０段階で、前記導出されたＣＱＩ値に基づいて、ＳＩＮＲ を推定することができる。
【００５２】
そして、スケジューラーはＳ４５０段階で、前記推定されたＳＩＮＲに基づいてＮＩを推定することができる。
【００５３】
この場合、本発明の一実施形態によれば、スケジューラーは前記推定されたＳＩＮＲ及び基地局が端末から受信したＳＲＳ受信電力に基づいて、前記ＮＩを推定することができる。
【００５４】
例えば、スケジューラーは、ＭＰＲによりマッピングされたＣＱＩ値に基づいてＳＩＮＲを推定することができる。そして、スケジューラーはサービングセルが特定端末に対して受信したＳＲＳに対する受信電力値、及び前記端末に対する干渉セルが前記端末から受信したＳＲＳに対する受信電力値を確認することができる。
【００５５】
前記サービングセルが特定端末に対して受信したＳＲＳに対する受信電力値がＳＩＮＲのＳ(サービングセルの受信信号強度)で、前記端末に対する干渉セルが前記端末から受信したＳＲＳに対する受信電力値がＳＩＮＲのI(干渉)である。
【００５６】
したがって、スケジューラーは前記推定されたＳＩＮＲ、端末のＳＲＳからの受信電力値であるＳ、Iに基づいて、残りＮ(ノイズ)を求めることができる。
【００５７】
前記過程を通じて、スケジューラーはＮＩを推定することができる。
【００５８】
前記過程を通じて計算されたＮＩは以後、送信電力調節情報を決定するのに用いられる目的関数(ｏｂｊｅｃｔｉｖｅ ｆｕｎｃｔｉｏｎ)の入力パラメーターで使用されることができるのに、前記事項に対する具体的な説明は当該部分で具体的に説明する。
【００５９】
以下、スケジューラーが各基地局の送信電力調節のための送信電力調節情報を決定する過程を図５を介して記述する。
【００６０】
図５は、本発明の実施形態によるスケジューラーが図３に図示されたＳ３２０段階を行う具体的な過程を示すフローチャートである。
【００６１】
スケジューラーは、基地局から収集された情報と、基地局が受信した端末のＳＲＳ受信電力を用いて自分が管理するすべてのＲＲＨｓ(または基地局、アンテナ、送信地点)に対する送信電力を決定する。
【００６２】
スケジューラーは、ＲＲＨ送信電力決定過程で、ＰＲＢ使用率又はＵＥ数の側面のロードバランシング(ｌｏａｄ-ｂａｌａｎｃｉｎｇ)効果を得ながら、目的関数(ｏｂｊｅｃｔｉｖｅ ｆｕｎｃｔｉｏｎ)が最大化となるようにＲＲＨ送信電力を決定することができる。
【００６３】
図５では下記の手順によって各ＲＲＨ(または基地局)別に送信電力決定過程を記述するようにする。
１) ロードバランシングモード(ｌｏａｄ-ｂａｌａｎｃｉｎｇ ｍｏｄｅ)決定
２) ロードバランシング(ｌｏａｄ-ｂａｌａｎｃｉｎｇ)のためのＲＲＨ送信電力調節範囲決定
３) 目的関数(ｏｂｊｅｃｔｉｖｅ ｆｕｎｃｔｉｏｎ)定義
４) サーチ(ｓｅａｒｃｈ)アルゴリズムを通じるＲＲＨ送信電力算出
前記の各過程に対する具体的な内容を図５を参考して説明するようにする。
先ず、スケジューラーはＳ５１０段階でロードバランシングモードを決定することができる。
【００６４】
本発明の実施形態によるロードバランシングモード(ｌｏａｄ-ｂａｌａｎｃｉｎｇ ｍｏｄｅ)はＰＲＢ使用率側面のセル間のロードバランシングモードと、活性端末(Ａｃｔｉｖｅ ＵＥ)数の側面のセル間のロードバランシングモードを含むことができる。前記ＰＲＢ使用率側面のセル間のロードバランシングモードは、ＰＲＢ使用分布を用いてセル別のＰＲＢ使用分布を分散させることを意味し、活性端末(Ａｃｔｉｖｅ ＵＥ)数の側面のセル間のロードバランシングモードは端末の分布を用いてセル別の活性端末分布を分散させることを意味することができる。
【００６５】
ＰＲＢ使用率側面のセル間のロードバランシングモードは各セルで使用しているＰＲＢ使用率に基づいてロードバランシングを行うモードを意味することができる。例えば、第１基地局より第２基地局が用いるＰＲＢの個数をふやすのが一例示であることができる。
【００６６】
活性端末(Ａｃｔｉｖｅ ＵＥ)数の側面のセル間のロードバランシングモードは、例えば、第１基地局と第２基地局のセル間の境界にある端末に対して、第２基地局がサービスすることができるように第２基地局の送信電力を増加させることが一例示であることができる。
【００６７】
スケジューラーは、基地局から収集されたセル別のＰＲＢ使用率と活性化された端末(Ａｃｔｉｖｅ ＵＥ)数に基づいて、基地局(ＲＲＨ)の送信電力決定過程で使用されるロードバランシングモードを決定することができる。
【００６８】
例えば、ロードバランシングモードは、基本的にＵＥ数に基づくのロードバランシングモードと設定されることができる。そして、いずれか一つの基地局に対するＰＲＢ使用率が予め設定された基準以下ならば、ロードバランシングモードがＰＲＢに基づくのロードバランシングモードと選択されることができる。
【００６９】
スケジューラーがロードバランシングモードを決定する具体的な動作手続きが図６に図示される。
【００７０】
図６は、本発明の実施形態によって、スケジューラーがロードバランシングモードを決定する過程を示すフローチャートである。
【００７１】
先ず、スケジューラーはＳ６１０段階でいずれか一つのセルに対するＰＲＢ使用率が予め設定された基準値以下であるか否かを判定する。以下の場合、スケジューラーはＳ６２０段階へ進行し、ＰＲＢに基づくロードバランシングモードで決定することができる。
【００７２】
その以外の場合にはＳ６３０段階のように、ＵＥに基づくロードバランシングモードで決定することができる。
【００７３】
さらに、図５の説明で戻って、スケジューラーはＳ５２０段階で送信電力範囲を調節することができる。スケジューラーは送信電力範囲を調節するため、ロードバランシングのために必要な最小の電力(ｐｏｗｅｒ)値を決定し、送信電力を高めるかまたは低めるか否かをセル別で決定する。そして、スケジューラーはセル別で送信電力調節範囲を決定する。
【００７４】
スケジューラーが送信電力範囲を決定する前記の過程を、以下で具体的に説明する。
【００７５】
先ず、スケジューラーは決定されたロードバランシングモードが端末に基づくロードバランシングモードの場合、下記の情報を確認することができる。
【００７６】
１.スケジューラー内に活性化されたセル(Ａｃｔｉｖｅ Ｃｅｌｌ)の活性化された端末(Ａｃｔｉｖｅ ＵＥ)数に対する平均情報
２.  スケジューラー内に活性化されたセル(Ａｃｔｉｖｅ Ｃｅｌｌ)の活性化された端末(Ａｃｔｉｖｅ ＵＥ)数に対する分散情報
【００７７】
また、スケジューラーは決定されたロードバランシングモードがＰＲＢに基づくロードバランシングモードの場合、下記の情報を確認することができる。
【００７８】
１.スケジューラー内に活性化されたセル(Ａｃｔｉｖｅ Ｃｅｌｌ)のＰＲＢ使用率に対する平均情報
２.スケジューラー内に活性化されたセル(Ａｃｔｉｖｅ Ｃｅｌｌ)のＰＲＢ使用率に対する分散情報
【００７９】
そして、スケジューラーは活性化された端末別のハンドオーバー発生のために要求される電力ギャップ(ｐｏｗｅｒｇａｐ)を決定することができる。この場合、スケジューラーは特定端末に対するサービングセルのＳＲＳ受信電力、前記サービングセルの現在の送信電力、前記特定端末に対する最上のネイバーセルのＳＲＳ受信電力、前記最上のネイバーセルの現在送信電力などに基づいて、前記電力ギャップを決定することができる。
【００８０】
ここで、最上のネイバーセルとは、サービングセルと受信電力の差が最も小さいセルを意味することができる。
【００８１】
次いで、スケジューラーは基地局(または、セル)別の送信電力上昇または減少(ＵＰ/Ｄｏｗｎ)可否を決定することができる。
【００８２】
スケジューラーはロードバランシングモードが端末に基づくロードバランシングモードの場合、スケジューラー内に活性化されたセル(Ａｃｔｉｖｅ Ｃｅｌｌ)の活性化された端末(Ａｃｔｉｖｅ ＵＥ)数に対する平均情報、スケジューラー内に活性化されたセル(Ａｃｔｉｖｅ Ｃｅｌｌ)の活性化された端末(Ａｃｔｉｖｅ ＵＥ)数に対する分散情報などに基づいてセル別の送信電力上昇または減少可否を決定することができる。
【００８３】
一方、ロードバランシングモードがＰＲＢに基づくロードバランシングモードの場合、スケジューラーはスケジューラー内に活性化されたセル(Ａｃｔｉｖｅ Ｃｅｌｌ)のＰＲＢ使用率に対する平均情報、スケジューラー内に活性化されたセル(Ａｃｔｉｖｅ Ｃｅｌｌ)のＰＲＢ使用率に対する分散情報などに基づいてセル別の送信電力上昇または減少可否を決定することができる。
【００８４】
送信電力上昇または減少を決定したスケジューラーは、次いで基地局(または、セル)別の送信電力調節範囲を設定することができる。この場合、スケジューラーは以前に決定された、電力上昇または減少可否または電力ギャップのうちの少なくとも一つに基づいて送信電力調節範囲を基地局(またはセル)別と設定することができる。
【００８５】
概念的には、ロードバランシングのために送信電力減少が必要な基地局(または ｃｅｌｌ)は、送信電力範囲を現在の送信電力より小さいレベルでハンドオーバーマージン(ｈａｎｄｏｖｅｒ ｍａｒｇｉｎ)を考慮して設定することができる。また、ロードバランシングのために送信電力増加が必要な基地局(または ｃｅｌｌ)は、送信電力範囲を現在送信電力より高いレベルでハンドオーバーマージン(ｈａｎｄｏｖｅｒ ｍａｒｇｉｎ)を考慮して設定することができる。
上述した図５のＳ５２０段階を行う具体的な過程が図７に図示する。
【００８６】
具体的に、スケジューラーはＳ７１０段階で、端末数またはＰＲＢ使用率に対する情報を確認することができる。例えば、スケジューラーは決定されたロードバランシングモードが端末に基づくロードバランシングモードの場合、スケジューラー内に活性化されたセル(Ａｃｔｉｖｅ Ｃｅｌｌの活性化された端末(Ａｃｔｉｖｅ ＵＥ)数に対する平均情報と、スケジューラー内に活性化されたセル(Ａｃｔｉｖｅ Ｃｅｌｌ)の活性化された端末(Ａｃｔｉｖｅ ＵＥ)数に対する分散情報を確認することができる。
【００８７】
また、スケジューラーは決定されたロードバランシングモードがＰＲＢに基づくロードバランシングモードの場合、スケジューラー内に活性化されたセル(Ａｃｔｉｖｅ Ｃｅｌｌ)のＰＲＢ使用率に対する平均情報と、スケジューラー内に活性化されたセル(Ａｃｔｉｖｅ Ｃｅｌｌ) のＰＲＢ使用率に対する分散情報を確認することができる
【００８８】
そして、スケジューラーはＳ７２０段階で、前記確認された情報に基づいてセル別の送信電力上昇または減少可否を決定することができる。
【００８９】
そして、スケジューラーはＳ７３０段階で、前記決定されたセル別の送信電力上昇または減少可否と、活性化された端末別のハンドオーバー発生のために要求される電力ギャップ(ｐｏｗｅｒｇａｐに基づいて、セル別の送信電力調節範囲を決定することができる。
再び、図５の説明で戻って記述する。
【００９０】
ロードバランシングモード、送信電力範囲を決定したスケジューラーはＳ５３０以下の段階で、基地局に実質的に適用する送信電力調節情報を決定することができる。言い換えれば、以前段階で決定された送信電力調節範囲は、各基地局に対する送信電力調節のための候補電力調節値であるだけ、実際に各基地局に適用される送信電力調節値は前記候補群を対象としたサーチチアルゴリズム遂行及び目的関数計算過程を通じて決定することができる。
このために、先ず、目的関数を定義する。
【００９１】
完全ローディング(Ｆｕｌｌ ｌｏａｄｉｎｇ)環境で、ＰＦメトリック(Ｐｒｏｐｏｒｔｉｏｎａｌ Ｆａｉｒｎｅｓｓ ｍｅｔｒｉｃ)によりスケジューリングを行うと、下記の数式１のようなネットワークメトリック( ｎｅｔｗｏｒｋ ｍｅｔｒｉｃ)を最適化するように決定することができる。
【００９２】
【数１】
0006591446.tif 000002
【００９３】
前記数式１で、Ｔｐｕｔｍ,ｊは、ｊ番目のｃｅｌｌのｍ番目ＵＥの処理量(ｔｈｒｏｕｇｈｐｕｔ)を示し、ＮＵＥ,ｊは、ｊ番目のＣｅｌｌ内にサービング端末(ｓｅｒｖｉｎｇＵＥ)数である。ＮＣｅｌｌｐｅｒＮｅｔは、ネットワーク内にあるすべてのセルの数である。
【００９４】
前記数式１のネットワークメトリックはセル別及び端末別の処理量の総計を示すことができる。
【００９５】
したがって、数式１を最大化するように基地局(または、セル、ＲＲＨ)の送信電力を調節すると、スケジューリングメトリック(ｓｃｈｅｄｕｌｉｎｇ ｍｅｔｒｉｃ)でＰＦ ｍｅｔｒｉｃを使用するシステムで端末の処理量(ｔｈｒｏｕｇｈｐｕｔ)性能を向上させることができる。
【００９６】
前記の数式１からＴＬＭＴＰＣアルゴリズムで使用する目的関数を誘導することができる。
【００９７】
先ず、完全ローディング(ｆｕｌｌ ｌｏａｄｉｎｇ)環境で、セル内に端末が均等にリソースを使用すると仮定すれば、端末の処理量は下記の数式２のように単純化することができる。
【００９８】
【数２】
0006591446.tif 000003
【００９９】
前記数式２の意味はセル別で活性化された端末の数に対するＳＩＮＲから類推された容量を意味することができる。
【０１００】
前記数式２で、Ｔｐｕｔｍ, ｊ は、ｊ番目セルのｍ番目の端末(ＵＥ)の処理量(ｔｈｒｏｕｇｈｐｕｔ)を示し、ＮＡｃｔｉｖｅ ＵＥ, ｊはｊ番目のセル内に活性化された端末数である。ＳＩＮＲｍ, ｊは ｊ番目のセルのｍ番目の端末(ＵＥ)のＳＩＮＲを示し、Ｃａｐａｃｉｔｙ(ＳＩＮＲｍ, ｊ)はｊ番目のｃｅｌｌのｍ番目の端末(ＵＥ)の容量(ｃａｐａｃｉｔｙ)を示す。
【０１０１】
この場合、前記ＳＩＮＲで、受信信号に対応するＳは端末から受信したＳＲＳから導出されることができる。そして、前記ＳＩＮＲで、干渉及び雑音に対応するＮＩは上述した図４を通じて導出されることができる。
前記数式２を数式１に代入し、ＴＬＭＴＰＣアルゴリズムで使用する目的関数を下記の数式３のように定義することができる。
【０１０２】
【数３】
0006591446.tif 000004
【０１０３】
数式３で、ＳＩＮＲｍ,ｊはｊ 番目セルのｍ番目の端末(ＵＥ)のＳＩＮＲを示し、Ｃａｐａｃｉｔｙ(ＳＩＮＲｍ,ｊ)はｊ番目セルのｍ番目の端末(ＵＥ)の容量(ｃａｐａｃｉｔｙ)を示す。ＮＡｃｔｉｖｅ ＵＥ, ｊはｊ番目のセル内に活性化された端末(Ａｃｔｉｖｅ ＵＥ)数である。ＮＣｅｌｌｐｅｒＳｃｈはスケジューラー内にあるすべてのセルの数である。
【０１０４】
本発明の実施形態では前記目的関数を最大とする電力セット(ｐｏｗｅｒＳｅｔ)を決定し、前記決定された電力セットによって各基地局の送信電力を調節する。
【０１０５】
この場合、前記目的関数に入力される、基地局別の電力情報は、前記送信電力調節範囲内でサーチアルゴリズムを行って導出されることができる。
【０１０６】
本発明の一実施形態によれば、前記サーチアルゴリズムはタブーサーチを用いることができるが必ずここに限定されるものではないことに留意しなければならない。
【０１０７】
図５の説明で戻ると、スケジューラはＳ５３０段階でサーチアルゴリズムを行い、各基地局別の送信電力調節範囲内で、目的関数に入力される候補電力調節値を導出する。そして、スケジューラーはＳ５４０段階で、前記導出された候補電力調節値を目的関数に入力し、各候補電力調節値に相応する目的関数結果を導出する。
【０１０８】
以後、スケジューラはＳ５５０段階で、目的関数値を最大とする候補電力調節値を各基地局に適用する電力セットで決定することができる。
【０１０９】
前述した過程を通じて導出された、本発明の実施形態による送信電力調節情報、すなわち、電力セット(ｐｏｗｅｒＳｅｔ)に対する例示は下記の表１の通りである。
【０１１０】
【表１】
0006591446.tif 000005
【０１１１】
前記表１を参考して以前の過程を説明すれば、スケジューラーは送信電力調節範囲内で、サーチアルゴリズムを行って目的関数に入力する候補電力調節値を決定することができる。そして、スケジューラーは前記決定された候補電力調節値を目的関数に入力し、最大の目的関数値を有する候補電力調節値を各セルに対して適用される電力セットと決定することができる。
【０１１２】
図８は、本発明の実施形態によるスケジューラーの内部構造を示すブロック図である。図８に図示されるように、本発明のスケジューラーはインターフェース部８１０と、制御部８２０と、を含むことができる。
【０１１３】
インターフェース部８１０は、少なくとも一つの基地局と有線または無線で接続されて信号を送受信することができる。本発明の実施形態によれば、前記インターフェース部８１０は少なくとも一つの基地局から送信電力調節関連情報を受信することができる。
【０１１４】
制御部８２０は、スケジューラーが本発明の実施形態によって動作するように各ブロック間信号流れを制御することができる。具体的に、制御部８２０は少なくとも一つの基地局から送信電力調節関連情報を受信し、前記送信電力調節関連情報に基づいて前記少なくとも一つの基地局のロードバランシングのための送信電力調節情報を生成するように制御することができる。そして、制御部８２０は前記送信電力調節情報に基づいて前記少なくとも一つの基地局の送信電力を制御することができる。
【０１１５】
本発明の一実施形態によれば、前記制御部８２０は各基地局別の物理リソースブロック(Ｐｈｙｓｉｃａｌ Ｒｅｓｏｕｒｃｅ Ｂｌｏｃｋ、ＰＲＢ)使用率と活性化された端末の数に基づいて前記少なくとも一つの基地局のロードバランシングに対するロードバランシングモードを決定し、前記決定されたロードバランシングモードによって前記少なくとも一つの基地局に対する送信電力範囲を調節するように制御することができる。
【０１１６】
また、前記制御部８２０は、任意の基地局に対するＰＲＢ使用率が予め設定された基準値以下であるか判定し、以下の場合、端末に基づくロードバランシングモードをＰＲＢに基づくロードバランシングモードで転換するように制御することができる。また、制御部８２０は、任意の基地局に対するＰＲＢ使用率が予め設定された基準値を超過する場合、前記端末に基づくロードバランシングモードを維持するように制御することができる。
【０１１７】
また、前記制御部８２０は、少なくとも一つの基地局に対して電力上昇または電力減少を決定し、前記電力上昇または電力減少に基づいて前記少なくとも一つの基地局のそれぞれに対する送信電力調節範囲を決定するように制御することができる。
【０１１８】
また、前記制御部８２０は、前記決定されたロードバランシングモード及び送信電力範囲に基づいて、前記少なくとも一つの基地局に適用される少なくとも一つの候補電力調節値を導出することができる。そして、制御部８２０は前記導出された候補電力調節値に基づいて、予め決定された目的関数を最大とする電力セットを決定し、前記決定された電力セットに基づいて前記少なくとも一つの基地局の送信電力を制御することができる。
【０１１９】
上述した本発明の実施形態によれば、リアルタイムＲＦ(Ｒａｄｉｏ Ｆｒｅｑｕｅｎｃｙ)情報及びスケジューリング情報を用いてリアルタイムで送信電力調節が可能である。これを通じて商用ネットワークでリアルタイムロードバランシング効果を得ることができる。また、基地局と端末の間の干渉を制御して端末の処理量を向上させることができる。
【０１２０】
本明細書及び図面に開示された本発明の実施形態は本発明の技術内容を容易に説明し、本発明の理解を助けるために特定例を提示したものであって、本発明の範囲を限定しようとするものではない。ここに開示された実施形態以外にも本発明の技術的思想に基づいた他の変形例が実施可能ということは本発明が属する技術分野で通常の知識を有する者に自明なものである。
【符号の説明】
【０１２１】
１１０  スケジューラー
１２０  基地局
２１０  スケジューラー
２２０  基地局
８１０  インターフェース部
８２０  制御部
【図１】
0006591446.tif 000006
【図２】
0006591446.tif 000007
【図３】
0006591446.tif 000008
【図４】
0006591446.tif 000009
【図５】
0006591446.tif 000010
【図６】
0006591446.tif 000011
【図７】
0006591446.tif 000012
【図８】
0006591446.tif 000013